(57)【要約】【課題】  翻訳用情報を利用する機能を一段と充実させ、ユーザの使い勝手を高めた小印刷物作成装置を提供する。【解決手段】  本発明は、入力文字列を他の言語の文字列に変換し、印刷対象の文字列には、変換された文字列を含めるが入力文字列を含めない言語変換機能を有する。また、本発明は、入力文字列を、言語数及び言語種類の指定内容に応じて他の言語の文字列に変換し、言語数及び言語種類の指定内容に応じた変換された文字列や入力文字列を、印刷対象の文字列に含める言語併記機能を有する。【選択図】      図１
2008135041.tif 000002
【特許請求の範囲】
【請求項１】
数行程度の文字列を印刷媒体に印刷する小印刷物作成装置において、
文字列を他の言語の文字列に変換する翻訳手段と、
所定言語での文字列を取り込む文字列取込手段と、
上記文字列取込手段が取り込んだ所定言語での文字列を、他の言語の文字列に変換する、上記翻訳手段の処理を起動させる言語変換起動手段と、
上記翻訳手段が得た変換後の文字列を印刷対象の文字列に含めると共に、上記文字列取込手段が取り込んだ所定言語での文字列を印刷対象の文字列に含めない文字列変換手段と
を有することを特徴とする小印刷物作成装置。
【発明の詳細な説明】
【技術分野】
【０００１】
本発明は小印刷物作成装置に関し、例えば、専用のテープ印刷装置や、パソコンとラベルプリンタとが結合されたテープ印刷システムや、専用のスタンプ（印章）作成装置や、パソコンとスタンプ作成用周辺装置とが結合されたスタンプ作成システムなどに適用し得るものである。
【背景技術】
【０００２】
例えば、専用のテープ印刷装置は、入力された文字（記号、絵文字、外枠、地紋等を含む概念とする）の列を連続するテープに必要に応じて印刷すると共に、印刷されたテープを排出して切断するものである。このような切断後の文字列が印刷されたテープはラベルと呼ばれている。
【０００３】
テープ印刷装置の普及も進み、ラベルの用途が拡大されてきている。その結果、特定の用途を意図した機能を実現可能なテープ印刷装置も提案されている。例えば、印刷されたラベルを中折りして張り合わせたときに、一面に日本語文字列、他面に対応する英語文字列が印刷された単語帳を作成する機能を有するテープ印刷装置も提案されている（特許文献１参照）。
【特許文献１】特開平９−１０９４７０号公報
【発明の開示】
【発明が解決しようとする課題】
【０００４】
しかしながら、上述の従来装置では、単語帳を作成し得る翻訳用情報（英和、和英辞書情報など）などを他の機能では利用しておらず、単語帳を作成し得る機能搭載に対する装置のコストパフォーマンスは悪いものであった。言い換えると、ユーザは、翻訳用情報を単語帳の作成にしか利用できないものであった。
【０００５】
本発明は、以上の点を考慮してなされたものであり、翻訳用情報を利用する機能を一段と充実させ、ユーザの使い勝手を高めた小印刷物作成装置を提供しようとしたものである。
【課題を解決するための手段】
【０００６】
かかる課題を解決するため、本発明の小印刷物作成装置は、数行程度の文字列を印刷媒体に印刷するものであって、（１）文字列を他の言語の文字列に変換する翻訳手段と、（２）所定言語での文字列を取り込む文字列取込手段と、（３）上記文字列取込手段が取り込んだ所定言語での文字列を、他の言語の文字列に変換する、上記翻訳手段の処理を起動させる言語変換起動手段と、（４）上記翻訳手段が得た変換後の文字列を印刷対象の文字列に含めると共に、上記文字列取込手段が取り込んだ所定言語での文字列を印刷対象の文字列に含めない文字列変換手段とを有することを特徴とする。
【発明の効果】
【０００７】
本発明によれば、文字列を他の言語の文字列に変換して印刷対象の文字列に含めたり、及び又は、文字列を指定された言語数及び言語種類の他の言語の文字列に変換して印刷対象の文字列に含めたりでき、翻訳用情報を利用する機能を一段と充実させ、ユーザの使い勝手を高めた小印刷物作成装置、小印刷物作成方法及び小印刷物作成プログラムを実現できる。
【発明を実施するための最良の形態】
【０００８】
（Ａ）第１の実施形態
以下、本発明による小印刷物作成装置をテープ印刷システムに適用した第１の実施形態を、図面を参照しながら詳述する。
【０００９】
図１は、第１の実施形態のテープ印刷システムの電気的な全体構成を示すブロック図であり、図２は、そのテープ印刷システムの外観イメージを示す概略斜視図である。なお、第１の実施形態のテープ印刷システム（テープ印刷装置）は、テープ印刷専用の独立した装置として構成されている。
【００１０】
図１において、第１の実施形態のテープ印刷システムは、大きくは、入力部１０、制御部２０及び出力部３０から構成されており、制御部２０が、入力部１０からの情報やその時点の処理段階等に応じた処理を実行し、その処理結果等を出力部３０によって表示出力又は印刷出力させるようになされている。
【００１１】
入力部１０は、詳細の構成は省略するが押下キー（やダイヤルキー）を備えたキー入力部１１や、テープ種類検出センサ１２を有する。キー入力部１１は、制御部２０に与える文字コードや各種の制御データを発生するものである。テープ種類検出センサ１２は、装填されているテープの幅などを検出してテープ種類情報を制御部２０に与えるものである。実際上、テープはテープカートリッジに収納されており、テープカートリッジにはテープ幅や色などを規定する孔などの物理的な識別要素が設けられており、テープ種類検出センサ１２はこの物理的な識別要素を読み取ってテープ種類情報を出力する。
【００１２】
第１の実施形態の場合、キー入力部１１には、日本語文字列を他の言語（例えば、英語やドイツ語やフランス語など）の文字列に変換（翻訳）することを指示する言語変換キー１１ａ（専用キーでも良く、ファンクションキーなどと共に用いられる兼用キーでも良い）や、複数言語の対応文字列を簡易入力させる言語併記キー１１ｂ（専用キーでも良く、ファンクションキーなどと共に用いられる兼用キーでも良い）も設けられている。
【００１３】
図２における透明窓部を有する蓋体５０は、テープカセットＴＣを収容する装置筐体内部の空間の上部に設けられたものであり、この蓋体５０の下方にテープカセットＴＣが装填され、その装填状態のテープカセットＴＣの物理的な識別要素をテープ種類検出センサ１２が読み取る。
【００１４】
出力部３０は、印刷構成と表示構成とからなる。ここで、印刷構成は、テープに対して通常の印刷を行う構成であり、表示構成は、ラベルに印刷させる入力情報や、操作ガイダンスのメッセージなどを表示する構成である。
【００１５】
例えばステッピングモータや直流モータ等を中心として構成されているテープ・リボン走行機構３１は、装填されている図示しないテープやインクリボンを所定の印刷位置や装置外部まで送り出すものであり、印刷ヘッド（ここではサーマルヘッドとする）３２は例えば固定されていて、走行するテープに対して熱転写によって印刷を行なうものである。
【００１６】
これらテープ・リボン走行機構３１及びサーマルヘッド３２はそれぞれ、制御部２０の制御下で、走行駆動回路３３やヘッド駆動回路３４によって駆動される。印刷されたテープの切断は、例えば、ユーザからの外力又はモータによって駆動される図示しないカッタによって行なわれる。なお、図２の排出口５２が印刷されたテープを排出するものであり、排出口５２の近傍に図示しない切断用のカッタが設けられている。
【００１７】
このテープ印刷システムの表示部として、例えば所定サイズの文字を数行（例えば４行）に亘って数文字（例えば１２文字）程度表示できる程度の液晶ディスプレイ３５が設けられており、この液晶ディスプレイ３５は、制御部２０の制御下でディスプレイ駆動回路３６によって駆動される。なお、この第１の実施形態の場合、液晶ディスプレイ３５は、蓋体５０（図２参照）上に設けられている。
【００１８】
液晶ディスプレイ３５の表示面は、例えば、図３に示すようになっている。液晶ディスプレイ３５の表示面１は、文字表示領域２と、行番号インジケータ３−１〜３−４と、入力文字列に係る各種の属性等を表す属性インジケータ４−１〜４−ｎとを有する。属性インジケータ４−１〜４−ｎは、そのオン表示が、その属性インジケータ４−１、…、４−ｎに対応した表示面１の周囲に記載されている文字が表す属性が採用されていることを表すものである。属性インジケータ４−１、…、４−ｎが指示する属性としては、文字サイズについてのものや、かな入力やローマ字入力等の入力方式についてのものや、たて書や中揃え等の文字列のある程度のかたまりを単位としたものや、装飾文字や英書体等の文字単位のものや、基本的な書式の採用有無を表すものなどがある。
【００１９】
この第１の実施形態の場合、属性インジケータが指示する属性として、言語変換モードになっているか否かを表すもの（４−ｉ）や、言語併記モードになっているか否かを表すもの（４−ｊ）も含まれている。
【００２０】
以上のように、液晶ディスプレイ３５は、文字表示領域２、行番号インジケータ部３（３−１〜３−４）、及び、属性インジケータ部４（４−１〜４−ｎ）でなるので、ディスプレイ駆動回路３６も、大別すると、文字表示領域２に対応した駆動部３６ａ、行番号インジケータ部３（３−１〜３−４）に対応した駆動部３６ｂ、及び、属性インジケータ部４（４−１〜４−ｎ）に対応した駆動部３６ｃからなる。
【００２１】
制御部２０は、例えばマイクロコンピュータによって構成されており、ＣＰＵ２１、ＲＯＭ２２、ＲＡＭ２３、キャラクタジェネレータＲＯＭ（ＣＧ−ＲＯＭ）２４、入力インタフェース２５及び出力インタフェース２６がシステムバス２７を介して接続されて構成されている。
【００２２】
ＲＯＭ２２は、１又は複数個のＲＯＭチップでなり、ＲＯＭ２２には、各種の処理プログラムや、かな漢字変換用辞書データ等の固定データが格納されている。例えば、言語変換モードの実行プログラム（以下、適宜、言語変換プログラムと呼ぶ）２２ａや、言語併記モードの実行プログラム（以下、適宜、言語併記プログラムと呼ぶ）２２ｂや、複数言語での対応文字列を記述した翻訳辞書２２ｃも格納されている。
【００２３】
ＲＡＭ２３は、１又は複数個のＲＡＭチップでなり、ワーキングメモリとして用いられるものであり、また、ユーザ入力に係る固定データ等も格納するものである。図１では、ＲＡＭ２３として記載しているが、ワーキングメモリとして用いられるＥＥＰＲＯＭ等の他のメモリ素子を含む概念とする。ＲＡＭ２３は、印刷する文字列をドット展開して格納する印刷バッファや、入力文字列などについての表示画像を格納する表示バッファや、印刷や入力に係る文字データ等を格納するテキストバッファや、行番号インジケータ３−１〜３−４についての表示態様を保持する行番号インジケータ状態保持バッファや、属性インジケータ４−１〜４−ｎについての表示態様を保持する属性インジケータ状態保持バッファ等を有する。
【００２４】
ＣＧ−ＲＯＭ２４は、当該テープ印刷装置に用意されている文字や記号のドットパターンを格納しているものであり、文字や記号を特定するコードデータが与えられたときに対応するドットパターンを出力するものである。なお、表示用と印刷用とで別個のＣＧ−ＲＯＭが設けられていても良い。また、言語種類によって別個のＣＧ−ＲＯＭが設けられていても良い。フォント情報の格納形式は、ラインフォント形式及びビットマップ形式のいずれであっても良い。
【００２５】
入力インタフェース２５は、入力部１０及び制御部２０間のインタフェースを行なうものであり、出力インタフェース２６は、出力部３０及び制御部２０間のインタフェースを行なうものである。
【００２６】
ＣＰＵ２１は、入力部１０からの入力信号やそのときの処理段階に応じて定まるＲＯＭ２２内の処理プログラムを、ＲＡＭ２３をワーキングエリアとして利用しながら、また、必要ならばＲＯＭ２２やＲＡＭ２３に格納されている固定データを適宜用いて処理するものであり、その処理状況や処理結果等を液晶ディスプレイ３５に表示させたりテープに印刷させたりするものである。
【００２７】
図４は、翻訳辞書２２ｃの構成例を示すものであり、言語種類が、日本語、英語、ドイツ語及びフランス語の例である。翻訳辞書２２ｃは、カテゴリー名２２ｃ１が付与されたカテゴリー毎にまとめられており、各カテゴリーに属する複数言語の対応文字列でなるレコード２２ｃ２が記述されている。なお、翻訳辞書２２ｃのレコード数は、一般的な辞書と同程度であっても良いが、ラベルの用途（カテゴリーが対応している）を考慮して最小限に抑えるようにしても良い。
【００２８】
例えば、「調味料」は、種々の国籍の人が来店するレストランなどのテーブル上の調味料に貼付するラベルを意図しており、「場所」は、種々の国籍の人が行き交う場所やその状態などを認識させるためのラベルを意図しており、「注意」は、注意喚起用のラベルを意図している。
【００２９】
なお、カテゴリーが階層化されていても良い。例えば、上位階層「料理」の下位階層として、「調味料」、「アルコール類」、「食器」などを用意しておいても良い。このような階層化されている場合であれば、例えば、上位階層の複数のカテゴリー名から「料理」を選択し、さらに、カテゴリー名「調味料」を選択し、そして、「調味料」に属する単語を指定することになる。
【００３０】
次に、第１の実施形態のテープ印刷装置の動作（テープ印刷方法（小印刷物作成方法））を説明する。まず、入力動作における特徴的な動作である、言語変換キー１１ａが操作された際の動作と、言語併記キー１１ｂが操作された際の動作をこの順で説明する。
【００３１】
言語変換キー１１ａが操作されたときには、ＣＰＵ２１は、図５のフローチャートで示す言語変換プログラム２２ａを開始する。
【００３２】
そしてまず、ＣＰＵ２１は、変換に供する日本語文字列が入力済みであるか（存在しているか）否かを判別する（ステップ１００）。変換に供する日本語文字列は、仮確定されているひらがなやカタカナの文字列であっても良く、かな漢字変換途中のその際にカーソル（文字列全体を反転表示）が付与されている漢字候補の文字列であっても良い。
【００３３】
言語変換に供する日本語文字列が存在していない場合には、ＣＰＵ２１は、図示しないブザーなどから警告音を発し（ステップ１０１）、一連の処理を終了する。これに対して、言語変換に供する日本語文字列が存在していると、ＣＰＵ２１は、翻訳辞書２２ｃに、その日本語文字列を含むレコードが存在するか否かを判別する（ステップ１０２）。
【００３４】
翻訳辞書２２ｃに該当するレコードがなければ、ＣＰＵ２１は、図示しないブザーなどから警告音を発し（ステップ１０１）、一連の処理を終了する。一方、翻訳辞書２２ｃに該当するレコードがあると、ＣＰＵ２１は、翻訳辞書２２ｃから対応する英語文字列を取り出して変換候補として液晶ディスプレイ３５に表示させ（ステップ１０３）、また、言語変換に係る属性インジケータ４−ｉを点灯させ（ステップ１０４）、その後、キー入力を待ち受け（ステップ１０５）、キー入力があると、その入力キーの種類を判別する（ステップ１０６）。
【００３５】
ここで、次候補キー（例えば、カーソル右移動キーやカーソル下移動キーが該当する）が操作されると、ＣＰＵ２１は、変換候補として、次の言語の対応文字列を翻訳辞書２２ｃから取り出して液晶ディスプレイ３５に表示させ（ステップ１０７）、キー入力の待ち受け状態に戻る。また、前候補キー（例えば、カーソル左移動キーやカーソル上移動キーが該当する）が操作されると、ＣＰＵ２１は、変換候補として、前の言語の対応文字列を翻訳辞書２２ｃから取り出して液晶ディスプレイ３５に表示させ（ステップ１０８）、キー入力の待ち受け状態に戻る。
【００３６】
なお、言語候補の順方向の変更順序は、例えば、「日本語」→「英語」→「ドイツ語」→「フランス語」→「日本語」のように巡回的なものであり、次候補キーが操作されたときには、この順方向に沿って変換候補を変更し、前候補キーが操作されたときには、この順方向の逆の方向に沿って変換候補を変更する。
【００３７】
キー入力の待ち受け状態で実行キー（選択キー）が操作されると、ＣＰＵ２１は、その時点で、液晶ディスプレイ３５に表示されていた言語の文字列を、選択された文字列として印刷用文字列を格納しているテキストエリアに書き込むと共に、液晶ディスプレイ３５でも、その文字列を確定状態で表示させ（Ｓ１０９）、その後、言語変換に係る属性インジケータ４−ｉを消灯させ（ステップ１１０）、メインルーチンに戻る。
【００３８】
なお、図５では省略しているが、図５の処理途中において、キャンセルキー（例えば削除キーが該当する）が操作されたときには、ＣＰＵ２１は、装置全体を言語変換キー１１ａが操作される直前の状態に戻す。
【００３９】
以上のように、日本語文字列を入力後に、言語変換キー１１ａを操作して、言語変換モードでの処理を開始させることにより、ユーザは、英語、ドイツ語、フランス語での表現を仮に知っていなくても、日本語文字列を入力して言語変換することで、他の言語の文字列を入力することができる。
【００４０】
次に、言語併記キー１１ｂが操作された際の動作を、図６のフローチャートを参照しながら説明する。言語併記キー１１ｂが操作されたときには、ＣＰＵ２１は、図６のフローチャートで示す言語併記プログラム２２ｂを開始する。
【００４１】
そしてまず、ＣＰＵ２１は、言語併記に供する日本語文字列が入力済みであるか（存在しているか）否かを判別する（ステップ２００）。ここでも、言語併記に供する日本語文字列は、仮確定されているひらがなやカタカナの文字列であっても良く、かな漢字変換途中のその際にカーソル（文字列全体を反転表示）が付与されている漢字候補の文字列であっても良い。
【００４２】
言語併記に供する日本語文字列が存在していると、ＣＰＵ２１は、翻訳辞書２２ｃに、その日本語文字列を含むレコードが存在するか否かを判別する（ステップ２０１）。翻訳辞書２２ｃに該当するレコードがなければ、ＣＰＵ２１は、図示しないブザーなどから警告音を発し（ステップ２０２）、一連の処理を終了する。一方、翻訳辞書２２ｃに該当するレコードがあると、ＣＰＵ２１は、言語併記に係る属性インジケータ４−ｊを点灯させる（ステップ２０３）。
【００４３】
言語併記キー１１ｂが操作された段階で、言語併記に供する日本語文字列が存在していない場合には（ステップ２００で否定結果）、ＣＰＵ２１は、言語併記に係る属性インジケータ４−ｊを点灯させた後（ステップ２０４）、翻訳辞書２２ｃで用意されているカテゴリーの中から、ユーザが所望するカテゴリーを選択させ（ステップ２０５）、さらに、選択されたカテゴリーに属する複数の日本語文字列の中から、所望する日本語文字列を選択させる（ステップ２０６）。
【００４４】
カテゴリーの選択では、ＣＰＵ２１は、翻訳辞書２２ｃに用意されているカテゴリー名を、候補切換キーの操作に応じて切り換えながら表示させ、実行キーの操作時のカテゴリー候補を、ユーザによって選択されたものとして取り込む。
【００４５】
また、選択カテゴリーでの日本語文字列の選択では、ＣＰＵ２１は、翻訳辞書２２ｃに用意されている日本語文字列を、候補切換キーの操作に応じて切り換えながら表示させ、実行キーの操作時の日本語文字列を、ユーザによって選択されたものとして取り込む。
【００４６】
以上のようにして、言語併記キー１１ｂが操作された段階で、言語併記に供する日本語文字列が存在しても存在していなくても、日本語文字列が定まり、翻訳辞書２２ｃに存在することが明らかになると、ＣＰＵ２１は、ユーザに併記する言語数を選択させ（ステップ２０７）、ユーザに併記する言語種類を指定させ（ステップ２０８）、さらに、ユーザに併記方法を指定させる（ステップ２０９）。なお、言語種類の指定を先に行い、指定終了時の言語種類の数をもって言語数として取り込むようにしても良い。すなわち、ステップ２０７とステップ２０８処理順序を入れ換えても良い。また、言語数を先に指定させる場合には、言語種類の指定の前に併記方法（図７参照）を指定させるようにしても良い。
【００４７】
さらには、併記方法を指定させることを通じて、自動的に言語数を指定させるようにしても良い。
【００４８】
この第１の実施形態の場合、翻訳辞書２２ｃは４言語の対応文字列を格納しているので、ＣＰＵ２１は、「２」〜「４」の数字を例えばメニュー表示させて、併記する言語数を選択させる。
【００４９】
また、選択された言語数を最終順番とし、併記順序での１番目、２番目、…の言語種類を、例えば、日本語、英語、ドイツ語、フランス語の４言語をメニュー表示させながら、ユーザに、併記する言語種類を選択させる。なお、２番目以降の言語種類の選択では、既に指定された言語を選択用メニューに含めないようにしても良い。
【００５０】
例えば、３言語併記の場合において、１番目を英語、２番目を日本語、３番目をドイツ語と指定したり、１番目を日本語、２番目をドイツ語、３番目を英語と指定したりするなど、ユーザは、任意の順序を指定できる。
【００５１】
さらに、選択された言語数が３言語の場合について、図７（Ａ）〜（Ｇ）に示すような印刷イメージフォーム（具体的な文字列を含まない）を、例えば、カーソル移動キーの操作に応じて液晶ディスプレイ３５に切換表示しながら、ユーザに併記方法を選択させる。
【００５２】
なお、併記方法には、文字サイズや文字間ピッチや文字揃え（図７（Ａ）〜（Ｄ）のような上下方向の併記であれば例えば中揃え）などの各種属性情報（数値的情報は例えば相対的情報であり、装填されているテープ幅によって絶対的情報に変換される）も伴っているものである。
【００５３】
図７（Ａ）〜（Ｄ）はそれぞれ、上下方向の併記であり、３言語の文字サイズの組み合わせが、「同一」、「大小小」、「小小大」、「小大小」の併記方法である。図７（Ｅ）は、テープ長手方向への併記であり、３言語の文字サイズの組み合わせは「同一」である併記方法である（先頭言語の文字サイズが他のものより大きいなど、３言語の文字サイズが異なっていても良い）。図７（Ｆ）は、テープ長手方向に２ブロックに分かれており、前ブロックに文字サイズ「大」の１番目の言語が配置され、後ブロックでは上下に文字サイズ「中」の２番目及び３番目の言語が配置される併記方法である。図７（Ｇ）は、テープ長手方向に２ブロックに分かれており、前ブロックでは上下に文字サイズ「中」の１番目及び２番目の言語が配置され、後ブロックに文字サイズ「大」の３番目の言語が配置される併記方法である。
【００５４】
併記方法の選択では、（１）言語種類を規定する文字（記号や国旗などであっても良い）を印刷するか否かと、（２）部分カッティングの有無、を指定させる。
【００５５】
図７（Ｅ）の場合を例に、「言語種類を規定する文字を印刷すること」を説明すると、図８（Ａ）や（Ｂ）に示すように、言語併記ラベルに含まれている文字列の言語種類をも印刷させることである。文字列の言語種類を規定する文字の印刷位置は、図８（Ａ）に示すようなその言語の文字列のすぐ近傍であっても良く、図８（Ｂ）に示すような言語種類の文字だけをまとめた独立した領域であっても良い。図８（Ｂ）に示すような言語種類の文字の印刷方法が選択された場合には、その領域との境界（図８（Ｂ）でＢＤを付与している位置）で、フルカット又はハーフカットを行うか、カットを行うことなく印刷するかをも選択させる。
【００５６】
「部分カッティングの有無を指定させる」とは、言語種類が異なる文字列の印刷領域が、テープ長手方向に分かれているような併記方法が選択された場合に、その領域の境で、フルカット又はハーフカットを行うか、カットを行うことなく印刷するかをも指定させることをいう。３言語指定の場合であれば、上述した図７（Ｅ）〜図７（Ｇ）の併記方法が選択された場合に、部分カッティングの有無を指定させる。図７（Ｅ）に対応する図９（Ａ）の例であれば、Ｃ１及び又はＣ２の位置でフルカット又はハーフカットを行うか否かを指定させ、図７（Ｆ）に対応する図９（Ｂ）の例であれば、Ｃ３の位置でフルカット又はハーフカットを行うか否かを指定させ、図７（Ｇ）に対応する図９（Ｃ）の例であれば、Ｃ４の位置でフルカット又はハーフカットを行うか否かを指定させる。
【００５７】
ＣＰＵ２１は、併記方法の指定が完了すると、翻訳辞書２２ｃから、指定された複数の言語の対応文字列を取り出し、テキストエリアに対し、指定された併記方法に従って、それら文字列を格納し、また、液晶ディスプレイ３５の表示画面を、それら文字列を含む入力用画面に戻す（文字数によっては一部表示されないこともあり得る：ステップ２１０）。
【００５８】
その後、ＣＰＵ２１は、言語併記に係る属性インジケータ４−ｊを消灯させて（ステップ２０３）、メインルーチンに戻る。
【００５９】
図６では省略しているが、図６の処理途中において、キャンセルキーが操作された際には、言語併記モードを強制終了して、言語併記キー１１ｂが操作される直前の状態に復帰させる。
【００６０】
なお、第１の実施形態の印刷処理は、従来のテープ印刷システムにおける印刷処理とほぼ同様であるが、上記から明らかなように、言語種類を規定する文字の印刷が指定されている場合には、その文字はユーザによる入力文字ではないが、ＣＰＵ２１が自動的に印刷画像に含めるドット展開処理を行うことや、所定位置でのフルカット又はハーフカットが指定されているときには印刷を中断して所定位置でフルカット又はハーフカットを行い、その後、印刷を再開することが異なっている。
【００６１】
第１の実施形態によれば、日本語文字列を入力し、それを対応する言語の文字列に変換し、その言語の文字列を入力したことにできる。
【００６２】
例えば、英字キーを利用して英語文字列を入力することもできるが、日本語では文字列は分かっているが、英語での文字列を知らない場合でも、その英語文字列を言語変換によって入力することができる。ドイツ語やフランス語の場合には、文字キーで対応できない文字があるが、キー入力そのものは日本語で行って言語変換することにより、ドイツ語やフランス語での特有な文字（英字のアルファベットにはない文字）をも入力できる。
【００６３】
また、第１の実施形態によれば、日本語文字列を入力させるだけで、又は、日本語文字列を選択させるだけで、他の言語の対応文字列を入力させた状態を形成でき、複数言語の文字列を併記したラベルを容易に作成することができる。複数言語の文字列を併記したラベルを作成する際に、各言語での文字列を全てキー入力するのは大変な作業であるが、第１の実施形態の言語併記機能を利用することにより、容易に言語併記ラベルを作成することができる。
【００６４】
この場合において、言語数や言語順序やレイアウトなどを容易に指定でき、複数言語の文字列を併記したユーザが所望するラベルを容易に作成することができる。
【００６５】
また、言語併記ラベルには、ユーザの希望により、言語種類を規定する文字を含めることができ、ユーザが必要に応じて、どの位置にどの言語の文字が印刷されているかを確認することができる。
【００６６】
言語併記方法で部分カッティングを指示した場合には、切断された部分を任意の位置に貼付することができ、言語併記のレイアウトをより多様化させた効果を発揮させることができる。
【００６７】
さらに、第１の実施形態によれば、翻訳辞書を言語変換機能及び言語併記機能で利用でき、限りある記憶容量の中から所定容量を割いた翻訳辞書を有効に利用することができる。
【００６８】
（Ｂ）第２の実施形態
次に、本発明による小印刷物作成装置をテープ印刷システムに適用した第２の実施形態を、図面を参照しながら詳述する。
【００６９】
図１０は、第２の実施形態のテープ印刷システムの電気的な全体構成を示すブロック図であり、第１の実施形態に係る図１との同一、対応部分には同一符号を付して示している。
【００７０】
図１０において、第２の実施形態のテープ印刷システムは、システムバス２７に接続されている外付けＲＯＭパックコネクタ２８を備えると共に、この外付けＲＯＭパックコネクタ２８に接続されている外付けＲＯＭパック４０を有する。外付けＲＯＭパック４０は、１又は複数のＲＯＭチップを収容した携帯可能かつ外付け可能な形状を有しており、第２の実施形態の場合、この外付けＲＯＭパック４０に、言語変換プログラム２２ａや言語併記プログラム２２ｂや翻訳辞書２２ｃが格納されている。
【００７１】
ＣＰＵ２１は、電源投入時などに、外付けＲＯＭパック４０の接続を確認し、外付けＲＯＭパック４０の格納内容をも利用して処理を実行する。
【００７２】
第２の実施形態によっても、第１の実施形態と同様な効果を奏することができる。
【００７３】
これに加え、第２の実施形態によれば、外付けＲＯＭパック４０の選択により、言語変換機能や言語併記機能に係る複数言語の組み合わせをユーザが任意に選択できる。例えば、外付けＲＯＭパック４０の種類として、日本語、英語、ドイツ語及びフランス語対応のものや、日本語、英語、韓国語及び中国語対応のものや、日本語、英語、ドイツ語、フランス語、韓国語及び中国語対応のものなどを用意しておき、これらの中から、ユーザが外付けＲＯＭパック４０を選択して外付けすることにより、言語変換機能や言語併記機能に係る複数言語の組み合わせをユーザが任意に選択できる。
【００７４】
（Ｃ）他の実施形態
上記各実施形態においては、言語変換キー１１ａを操作する前に、日本語文字列を入力しておくものを示したが、これに代え、又は、これに加え、言語変換キー１１ａを操作した後に、日本語文字列を入力するようにしても良い。ここで、変換に供する当初の文字列の言語種類は、日本語に限定されない。例えば、アメリカでの販売を意図しているテープ印刷システムであれば、変換に供する当初の文字列の言語種類が英語であっても良い。また、変換に供する当初の文字列の言語種類を、ユーザが指定できるようにしても良い。    また、上記各実施形態では、言語併記モードに言語併記キー１１ｂの操作で移行するものを示したが、ＶＴＲカセットの背表紙ラベルや住所ラベルなどの簡易作成用に設けられているフォーム入力機能の一態様として、言語併記機能を設けるようにしても良い。
【００７５】
さらに、上記各実施形態では、言語併記機能を利用したラベル作成では、言語併記の文字列以外の文字列の入力も可能であるものを示したが、言語併記機能を利用したラベルでは、言語併記の文字列だけを含むようにしても良い。
【００７６】
さらにまた、上記各実施形態における言語併記機能では、日本語文字列を入力して、他の言語の対応文字列を得るものを示したが、当初入力する文字列の言語として、日本語以外の言語を認めるようにしても良く、当初入力する文字列の言語として複数言語を認めるようにしても良い。なお、各言語の文字列を個別に入力させるようにしても良く、個別に入力された各言語の関連性を確認して併記を認めるようにしても良い。例えば、「薬」と「薬品」の組と、「ｄｒｕｇ」と「ｍｅｄｉｃｉｎｅ」の組とを対応させておき、組の要素同士が入力されていれば併記を認め、「薬」と、「ｄｒｕｇ」と「ｍｅｄｉｃｉｎｅ」の組に属していない単語が入力されたときに併記を拒否するようにしても良い。
【００７７】
当初入力する文字列は、単語又は単語列の文字列に限定されず、発音（読み）の文字列であっても良い。例えば、翻訳辞書を、図１１に示すように、単語列の文字列と発音（読み）の文字列とで構成することにより、発音（読み）の文字列を当初入力して、所望する文字列を得ることができる。例えば、「しゅがー」と入力して「ＳＵＧＡＲ」を得ることができる。
【００７８】
上記各実施形態では、英語などの欧米語を小文字表記するものを示したが、大文字表記するものであっても良く、小文字表記又は大文字表記を、ユーザが選択できるものであっても良い。
【００７９】
また、上記各実施形態では、単語又は単語列を他の言語に変換するものを示したが、機械翻訳用のソフトウェア及びそれが利用する翻訳辞書を搭載し、文章を他の言語の文章に翻訳するようにしても良い。また、１，０００円などの金額や、１センチなどの理化学的な単位なども言語変換し得るようにしても良く、その際に、その言語での一般的な単位への変換演算を行うようにしても良い。例えば、日本語での「センチ」や「尺」を英語での「ｉｎｃｈ」に自動変換するようにしても良い。
【００８０】
さらに、上記実施形態では、各言語の文字列を併記させる場合を示したが、絵文字を、言語の種類と見なして処理を行うようにしても良い。「砂糖」と「ｓｕｇａｒ」と同じレコードに砂糖の絵文字の情報を記憶しておき、選択により併記の中に含めるようにしても良い。
【００８１】
なお、カラー印刷対応である場合には、言語と色との組み合わせをユーザが選択し得るようにしても良く、言語と色との組み合わせをシステムが固定化させていても良い。
【００８２】
上記実施形態では、複数の言語の文字列を併記印刷する場合を示したが、当初より、言語毎の切断印刷を指定できるようにしても良い。この場合において、日本語ラベルが５枚、英語ラベルが３枚、中国語ラベルが１０枚のように、印刷前に異なる枚数を指定できるようにしても良い。
【００８３】
また、併記ラベルにおける各言語の文字列の位置を通知するための言語種類を規定する文字は、ラベルの裏面に印刷するようにしても良い。また、文字列の言語種類の相違などを、地紋などの相違で弁別可能とするようにしても良い。
【００８４】
さらに、上記実施形態では、複数言語の文字列を併記するものを示したが、同一領域に重ね書きするようにしても良い。この場合、一方の階調を落として背景的に印刷するようにしても良く、言語によって異なる色を適用するようにしても良い。「併記」の用語は、このような重ね書きも含むものとする。
【００８５】
さらにまた、上記各実施形態では、言語変換後の言語は候補を巡回的に変化させ、実行キーが操作された際の言語にするものを示したが、言語変換後の言語をメニューから選択させて翻訳辞書２２ｃから、その言語の文字列を取り出すようにしても良い。
【００８６】
上記第２の実施形態では、外付けＲＯＭパック４０（他の記憶媒体でも良い）に、言語変換プログラム２２ａ、言語併記プログラム２２ｂ及び翻訳辞書２２ｃの全てを記憶するものを示したが、翻訳辞書２２ｃだけを外付けＲＯＭパック４０に記憶させるようにしても良い。また、装置本体でのＲＯＭと、外付けＲＯＭパックとで、異なる言語の文字列を分散記憶させるようにしても良い。
【００８７】
なお、言語併記入力された内容の印刷に対しても、拡大印刷機能や連続印刷機能などの特殊印刷機能を適用し得るようにしても良いことはもちろんである。
【００８８】
上記実施形態では、テーブルから読み出した文字列などのデータが固定のものを示したが、読み出した後に変更し得るようにしても良い。例えば、「薬」と「ｄｒｕｇ」を読み出したユーザがそれを利用して「薬店」と「ｄｒｕｇｓｔｏｒｅ」に変更できるようにしても良い。
【００８９】
さらに、装置が用意していない言語の文字列をユーザが入力して、言語併記ラベルに印刷させるようにしても良い。例えば、日本語、英語、ドイツ語及びフランス語を装置が用意している場合に、「中国語」の漢字を５番目の言語として、現在作成しようとする言語併記ラベルにだけ追加して印刷することを認めるようにしても良い。この場合、中国語であることをシステムに入力してもしないようにしても良い。
【００９０】
なお、例えば、専用機でテープ印刷装置を構築した場合であっても、外付けＲＯＭパック（他の記憶媒体でも良い）を適用することにより、ロゴ・文字列ラベルの作成に供する、ロゴ数や言語数の増大を可能とするようにしても良い。
【００９１】
さらに、上記各実施形態では、専用機としてのテープ印刷システムを示したが、パソコンとラベルプリンタとが結合されたテープ印刷システムに、本発明の技術思想を適用するようにしても良く、また、専用機としてのスタンプ（印章）作成装置や、パソコンとスタンプ作成用周辺装置とが結合されたスタンプ作成システムなどに、本発明の技術思想を適用するようにしても良い。
【００９２】
パソコンとラベルプリンタとが結合されたテープ印刷システムに、本発明を適用する場合であれば、例えば、言語併記ラベルのレイアウトの決定に、ＷＹＳＩＷＹＧ方式及びドラッグアンドドロップ方式を適用するようにしても良い。例えば、各言語の文字列を一覧表示したウィンドウ部分から、空白のラベルイメージ部分へ、各言語の文字列の表示を移動配置してレイアウトをユーザが作成するようにしても良い。
【図面の簡単な説明】
【００９３】
【図１】第１の実施形態の電気的構成を示すブロック図である。
【図２】第１の実施形態の外観を示す斜視図である。
【図３】第１の実施形態の表示面構成を示す平面図である。
【図４】第１の実施形態の翻訳辞書の構成を示す説明図である。
【図５】第１の実施形態の言語変換処理を示すフローチャートである。
【図６】第１の実施形態の言語併記処理を示すフローチャートである。
【図７】第１の実施形態の併記方法の選択肢の説明図である。
【図８】第１の実施形態の言語種類の通知方法の説明図である。
【図９】第１の実施形態の部分カッティングの説明図である。
【図１０】第２の実施形態の電気的構成を示すブロック図である。
【図１１】他の実施形態の翻訳辞書の構成を示す説明図である。
【符号の説明】
【００９４】
１０…入力部、１１…キー入力部、１１ａ…言語変換キー、１１ｂ…言語併記キー、２０…制御部、２１…ＣＰＵ、２２…ＲＯＭ、２２ａ…言語変換プログラム、２２ｂ…言語併記プログラム、２２ｃ…翻訳辞書、３０…出力部、３２…サーマルヘッド、３５…液晶ディスプレイ。
【図１】
2008135041.tif 000003
【図２】
2008135041.tif 000004
【図３】
2008135041.tif 000005
【図４】
2008135041.tif 000006
【図５】
2008135041.tif 000007
【図６】
2008135041.tif 000008
【図７】
2008135041.tif 000009
【図８】
2008135041.tif 000010
【図９】
2008135041.tif 000011
【図１０】
2008135041.tif 000012
【図１１】
2008135041.tif 000013
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
文字列をテープに印刷するテープ印刷装置において、
予め定まっている第１の言語の入力文字列を他の言語の文字列に変換する、第２〜第Ｎ（Ｎは３以上の整数）の言語に対応できる翻訳手段と、
予め定まっている第１の言語での入力文字列を取り込む入力文字列取込手段と、
上記入力文字列取込手段が取り込んだ入力文字列を、他の言語の文字列に変換する、上記翻訳手段の処理を起動させる言語変換起動手段と、
上記言語変換起動手段が上記翻訳手段の処理を起動した直後に、入力文字列を上記翻訳手段によって変換された第２の言語の文字列を、初期の変換後の文字列候補として表示する初期候補表示手段と、
第１の候補切替キーが操作される毎に、変換後の文字列候補を、少なくとも第２〜第Ｎの言語の文字列間で巡回的に切り替えて表示する候補巡回切替手段と、
候補確定キーが操作されたときに、そのとき候補となっている変換後の文字列を印刷対象の文字列に含めると共に、上記入力文字列取込手段が取り込んだ第１の言語での入力文字列を印刷対象の文字列に含めない文字列変換確定手段と
を有することを特徴とするテープ印刷装置。
【請求項２】
第２の候補切替キーが操作される毎に、変換後の文字列候補を、少なくとも第２〜第Ｎの言語の文字列間で、上記候補巡回切替手段の巡回方向とは逆の方向に巡回的に切り替えて表示する候補逆巡回切替手段をさらに有することを特徴とする請求項１に記載のテープ印刷装置。
【請求項３】
上記入力文字列取込手段が取り込む入力文字列の言語が日本語であり、かな漢字変換後の文字列をも入力文字列として取り込むことを特徴とする請求項１又は２に記載のテープ印刷装置。
【請求項４】
上記候補巡回切替手段又は上記候補逆巡回切替手段は、第１の言語の文字列も、巡回的に切り替えて表示する候補の文字列としていることを特徴とする請求項１〜３のいずれかに記載のテープ印刷装置。
【請求項５】
少なくとも上記言語変換起動手段による起動処理から文字列変換確定手段の処理終了までの間、当該処理モードであることを表すインジケータを表示するインジケータ表示手段をさらに有することを特徴とする請求項１〜４のいずれかに記載のテープ印刷装置。
【請求項６】
上記翻訳手段は、第１の言語の文字列と、第２〜第Ｎの言語の文字列とを対応付けて格納しているテーブル構成の翻訳辞書を有し、翻訳辞書の入力文字列に対応するレコードから、他の言語に変換した文字列を取り出すことを特徴とする請求項１〜５のいずれかに記載のテープ印刷装置。
【手続補正２】
【補正対象書類名】明細書
【補正対象項目名】全文
【補正方法】変更
【補正の内容】
【発明の詳細な説明】
【技術分野】
【０００１】
本発明はテープ印刷装置に関し、例えば、専用のテープ印刷装置や、パソコンとラベルプリンタとが結合されたテープ印刷システムなどに適用し得るものである。
【背景技術】
【０００２】
例えば、専用のテープ印刷装置は、入力された文字（記号、絵文字、外枠、地紋等を含む概念とする）の列を連続するテープに必要に応じて印刷すると共に、印刷されたテープを排出して切断するものである。このような切断後の文字列が印刷されたテープはラベルと呼ばれている。
【０００３】
テープ印刷装置の普及も進み、ラベルの用途が拡大されてきている。その結果、特定の用途を意図した機能を実現可能なテープ印刷装置も提案されている。例えば、印刷されたラベルを中折りして張り合わせたときに、一面に日本語文字列、他面に対応する英語文字列が印刷された単語帳を作成する機能を有するテープ印刷装置も提案されている（特許文献１参照）。
【特許文献１】特開平９−１０９４７０号公報
【発明の開示】
【発明が解決しようとする課題】
【０００４】
しかしながら、上述の従来装置では、単語帳を作成し得る翻訳用情報（英和、和英辞書情報など）などを他の機能では利用しておらず、単語帳を作成し得る機能搭載に対する装置のコストパフォーマンスは悪いものであった。言い換えると、ユーザは、翻訳用情報を単語帳の作成にしか利用できないものであった。
【０００５】
本発明は、以上の点を考慮してなされたものであり、翻訳用情報を利用する機能を一段と充実させ、ユーザの使い勝手を高めたテープ印刷装置を提供しようとしたものである。
【課題を解決するための手段】
【０００６】
かかる課題を解決するため、本発明の小印刷物作成装置は、文字列をテープに印刷するテープ印刷装置において、（１）予め定まっている第１の言語の入力文字列を他の言語の文字列に変換する、第２〜第Ｎ（Ｎは３以上の整数）の言語に対応できる翻訳手段と、（２）予め定まっている第１の言語での入力文字列を取り込む入力文字列取込手段と、（３）上記入力文字列取込手段が取り込んだ入力文字列を、他の言語の文字列に変換する、上記翻訳手段の処理を起動させる言語変換起動手段と、（４）上記言語変換起動手段が上記翻訳手段の処理を起動した直後に、入力文字列を上記翻訳手段によって変換された第２の言語の文字列を、初期の変換後の文字列候補として表示する初期候補表示手段と、（５）第１の候補切替キーが操作される毎に、変換後の文字列候補を、少なくとも第２〜第Ｎの言語の文字列間で巡回的に切り替えて表示する候補巡回切替手段と、（６）候補確定キーが操作されたときに、そのとき候補となっている変換後の文字列を印刷対象の文字列に含めると共に、上記入力文字列取込手段が取り込んだ第１の言語での入力文字列を印刷対象の文字列に含めない文字列変換確定手段とを有することを特徴とする。
【発明の効果】
【０００７】
本発明によれば、文字列を他の言語の文字列に変換して印刷対象の文字列に含めることができ、翻訳用情報を利用する機能を一段と充実させ、ユーザの使い勝手を高めたテープ印刷装置を実現できる。
【発明を実施するための最良の形態】
【０００８】
（Ａ）第１の実施形態
以下、本発明によるテープ印刷装置の第１の実施形態を、図面を参照しながら詳述する。
【０００９】
図１は、第１の実施形態のテープ印刷システム（テープ印刷装置）の電気的な全体構成を示すブロック図であり、図２は、そのテープ印刷システムの外観イメージを示す概略斜視図である。なお、第１の実施形態のテープ印刷システムは、テープ印刷専用の独立した装置として構成されている。
【００１０】
図１において、第１の実施形態のテープ印刷システムは、大きくは、入力部１０、制御部２０及び出力部３０から構成されており、制御部２０が、入力部１０からの情報やその時点の処理段階等に応じた処理を実行し、その処理結果等を出力部３０によって表示出力又は印刷出力させるようになされている。
【００１１】
入力部１０は、詳細の構成は省略するが押下キー（やダイヤルキー）を備えたキー入力部１１や、テープ種類検出センサ１２を有する。キー入力部１１は、制御部２０に与える文字コードや各種の制御データを発生するものである。テープ種類検出センサ１２は、装填されているテープの幅などを検出してテープ種類情報を制御部２０に与えるものである。実際上、テープはテープカートリッジに収納されており、テープカートリッジにはテープ幅や色などを規定する孔などの物理的な識別要素が設けられており、テープ種類検出センサ１２はこの物理的な識別要素を読み取ってテープ種類情報を出力する。
【００１２】
第１の実施形態の場合、キー入力部１１には、日本語文字列を他の言語（例えば、英語やドイツ語やフランス語など）の文字列に変換（翻訳）することを指示する言語変換キー１１ａ（専用キーでも良く、ファンクションキーなどと共に用いられる兼用キーでも良い）や、複数言語の対応文字列を簡易入力させる言語併記キー１１ｂ（専用キーでも良く、ファンクションキーなどと共に用いられる兼用キーでも良い）も設けられている。
【００１３】
図２における透明窓部を有する蓋体５０は、テープカセットＴＣを収容する装置筐体内部の空間の上部に設けられたものであり、この蓋体５０の下方にテープカセットＴＣが装填され、その装填状態のテープカセットＴＣの物理的な識別要素をテープ種類検出センサ１２が読み取る。
【００１４】
出力部３０は、印刷構成と表示構成とからなる。ここで、印刷構成は、テープに対して通常の印刷を行う構成であり、表示構成は、ラベルに印刷させる入力情報や、操作ガイダンスのメッセージなどを表示する構成である。
【００１５】
例えばステッピングモータや直流モータ等を中心として構成されているテープ・リボン走行機構３１は、装填されている図示しないテープやインクリボンを所定の印刷位置や装置外部まで送り出すものであり、印刷ヘッド（ここではサーマルヘッドとする）３２は例えば固定されていて、走行するテープに対して熱転写によって印刷を行なうものである。
【００１６】
これらテープ・リボン走行機構３１及びサーマルヘッド３２はそれぞれ、制御部２０の制御下で、走行駆動回路３３やヘッド駆動回路３４によって駆動される。印刷されたテープの切断は、例えば、ユーザからの外力又はモータによって駆動される図示しないカッタによって行なわれる。なお、図２の排出口５２が印刷されたテープを排出するものであり、排出口５２の近傍に図示しない切断用のカッタが設けられている。
【００１７】
このテープ印刷システムの表示部として、例えば所定サイズの文字を数行（例えば４行）に亘って数文字（例えば１２文字）程度表示できる程度の液晶ディスプレイ３５が設けられており、この液晶ディスプレイ３５は、制御部２０の制御下でディスプレイ駆動回路３６によって駆動される。なお、この第１の実施形態の場合、液晶ディスプレイ３５は、蓋体５０（図２参照）上に設けられている。
【００１８】
液晶ディスプレイ３５の表示面は、例えば、図３に示すようになっている。液晶ディスプレイ３５の表示面１は、文字表示領域２と、行番号インジケータ３−１〜３−４と、入力文字列に係る各種の属性等を表す属性インジケータ４−１〜４−ｎとを有する。属性インジケータ４−１〜４−ｎは、そのオン表示が、その属性インジケータ４−１、…、４−ｎに対応した表示面１の周囲に記載されている文字が表す属性が採用されていることを表すものである。属性インジケータ４−１、…、４−ｎが指示する属性としては、文字サイズについてのものや、かな入力やローマ字入力等の入力方式についてのものや、たて書や中揃え等の文字列のある程度のかたまりを単位としたものや、装飾文字や英書体等の文字単位のものや、基本的な書式の採用有無を表すものなどがある。
【００１９】
この第１の実施形態の場合、属性インジケータが指示する属性として、言語変換モードになっているか否かを表すもの（４−ｉ）や、言語併記モードになっているか否かを表すもの（４−ｊ）も含まれている。
【００２０】
以上のように、液晶ディスプレイ３５は、文字表示領域２、行番号インジケータ部３（３−１〜３−４）、及び、属性インジケータ部４（４−１〜４−ｎ）でなるので、ディスプレイ駆動回路３６も、大別すると、文字表示領域２に対応した駆動部３６ａ、行番号インジケータ部３（３−１〜３−４）に対応した駆動部３６ｂ、及び、属性インジケータ部４（４−１〜４−ｎ）に対応した駆動部３６ｃからなる。
【００２１】
制御部２０は、例えばマイクロコンピュータによって構成されており、ＣＰＵ２１、ＲＯＭ２２、ＲＡＭ２３、キャラクタジェネレータＲＯＭ（ＣＧ−ＲＯＭ）２４、入力インタフェース２５及び出力インタフェース２６がシステムバス２７を介して接続されて構成されている。
【００２２】
ＲＯＭ２２は、１又は複数個のＲＯＭチップでなり、ＲＯＭ２２には、各種の処理プログラムや、かな漢字変換用辞書データ等の固定データが格納されている。例えば、言語変換モードの実行プログラム（以下、適宜、言語変換プログラムと呼ぶ）２２ａや、言語併記モードの実行プログラム（以下、適宜、言語併記プログラムと呼ぶ）２２ｂや、複数言語での対応文字列を記述した翻訳辞書２２ｃも格納されている。
【００２３】
ＲＡＭ２３は、１又は複数個のＲＡＭチップでなり、ワーキングメモリとして用いられるものであり、また、ユーザ入力に係る固定データ等も格納するものである。図１では、ＲＡＭ２３として記載しているが、ワーキングメモリとして用いられるＥＥＰＲＯＭ等の他のメモリ素子を含む概念とする。ＲＡＭ２３は、印刷する文字列をドット展開して格納する印刷バッファや、入力文字列などについての表示画像を格納する表示バッファや、印刷や入力に係る文字データ等を格納するテキストバッファや、行番号インジケータ３−１〜３−４についての表示態様を保持する行番号インジケータ状態保持バッファや、属性インジケータ４−１〜４−ｎについての表示態様を保持する属性インジケータ状態保持バッファ等を有する。
【００２４】
ＣＧ−ＲＯＭ２４は、当該テープ印刷装置に用意されている文字や記号のドットパターンを格納しているものであり、文字や記号を特定するコードデータが与えられたときに対応するドットパターンを出力するものである。なお、表示用と印刷用とで別個のＣＧ−ＲＯＭが設けられていても良い。また、言語種類によって別個のＣＧ−ＲＯＭが設けられていても良い。フォント情報の格納形式は、ラインフォント形式及びビットマップ形式のいずれであっても良い。
【００２５】
入力インタフェース２５は、入力部１０及び制御部２０間のインタフェースを行なうものであり、出力インタフェース２６は、出力部３０及び制御部２０間のインタフェースを行なうものである。
【００２６】
ＣＰＵ２１は、入力部１０からの入力信号やそのときの処理段階に応じて定まるＲＯＭ２２内の処理プログラムを、ＲＡＭ２３をワーキングエリアとして利用しながら、また、必要ならばＲＯＭ２２やＲＡＭ２３に格納されている固定データを適宜用いて処理するものであり、その処理状況や処理結果等を液晶ディスプレイ３５に表示させたりテープに印刷させたりするものである。
【００２７】
図４は、翻訳辞書２２ｃの構成例を示すものであり、言語種類が、日本語、英語、ドイツ語及びフランス語の例である。翻訳辞書２２ｃは、カテゴリー名２２ｃ１が付与されたカテゴリー毎にまとめられており、各カテゴリーに属する複数言語の対応文字列でなるレコード２２ｃ２が記述されている。なお、翻訳辞書２２ｃのレコード数は、一般的な辞書と同程度であっても良いが、ラベルの用途（カテゴリーが対応している）を考慮して最小限に抑えるようにしても良い。
【００２８】
例えば、「調味料」は、種々の国籍の人が来店するレストランなどのテーブル上の調味料に貼付するラベルを意図しており、「場所」は、種々の国籍の人が行き交う場所やその状態などを認識させるためのラベルを意図しており、「注意」は、注意喚起用のラベルを意図している。
【００２９】
なお、カテゴリーが階層化されていても良い。例えば、上位階層「料理」の下位階層として、「調味料」、「アルコール類」、「食器」などを用意しておいても良い。このような階層化されている場合であれば、例えば、上位階層の複数のカテゴリー名から「料理」を選択し、さらに、カテゴリー名「調味料」を選択し、そして、「調味料」に属する単語を指定することになる。
【００３０】
次に、第１の実施形態のテープ印刷装置の動作（テープ印刷方法）を説明する。まず、入力動作における特徴的な動作である、言語変換キー１１ａが操作された際の動作と、言語併記キー１１ｂが操作された際の動作をこの順で説明する。
【００３１】
言語変換キー１１ａが操作されたときには、ＣＰＵ２１は、図５のフローチャートで示す言語変換プログラム２２ａを開始する。
【００３２】
そしてまず、ＣＰＵ２１は、変換に供する日本語文字列が入力済みであるか（存在しているか）否かを判別する（ステップ１００）。変換に供する日本語文字列は、仮確定されているひらがなやカタカナの文字列であっても良く、かな漢字変換途中のその際にカーソル（文字列全体を反転表示）が付与されている漢字候補の文字列であっても良い。
【００３３】
言語変換に供する日本語文字列が存在していない場合には、ＣＰＵ２１は、図示しないブザーなどから警告音を発し（ステップ１０１）、一連の処理を終了する。これに対して、言語変換に供する日本語文字列が存在していると、ＣＰＵ２１は、翻訳辞書２２ｃに、その日本語文字列を含むレコードが存在するか否かを判別する（ステップ１０２）。
【００３４】
翻訳辞書２２ｃに該当するレコードがなければ、ＣＰＵ２１は、図示しないブザーなどから警告音を発し（ステップ１０１）、一連の処理を終了する。一方、翻訳辞書２２ｃに該当するレコードがあると、ＣＰＵ２１は、翻訳辞書２２ｃから対応する英語文字列を取り出して変換候補として液晶ディスプレイ３５に表示させ（ステップ１０３）、また、言語変換に係る属性インジケータ４−ｉを点灯させ（ステップ１０４）、その後、キー入力を待ち受け（ステップ１０５）、キー入力があると、その入力キーの種類を判別する（ステップ１０６）。
【００３５】
ここで、次候補キー（例えば、カーソル右移動キーやカーソル下移動キーが該当する）が操作されると、ＣＰＵ２１は、変換候補として、次の言語の対応文字列を翻訳辞書２２ｃから取り出して液晶ディスプレイ３５に表示させ（ステップ１０７）、キー入力の待ち受け状態に戻る。また、前候補キー（例えば、カーソル左移動キーやカーソル上移動キーが該当する）が操作されると、ＣＰＵ２１は、変換候補として、前の言語の対応文字列を翻訳辞書２２ｃから取り出して液晶ディスプレイ３５に表示させ（ステップ１０８）、キー入力の待ち受け状態に戻る。
【００３６】
なお、言語候補の順方向の変更順序は、例えば、「日本語」→「英語」→「ドイツ語」→「フランス語」→「日本語」のように巡回的なものであり、次候補キーが操作されたときには、この順方向に沿って変換候補を変更し、前候補キーが操作されたときには、この順方向の逆の方向に沿って変換候補を変更する。
【００３７】
キー入力の待ち受け状態で実行キー（選択キー）が操作されると、ＣＰＵ２１は、その時点で、液晶ディスプレイ３５に表示されていた言語の文字列を、選択された文字列として印刷用文字列を格納しているテキストエリアに書き込むと共に、液晶ディスプレイ３５でも、その文字列を確定状態で表示させ（Ｓ１０９）、その後、言語変換に係る属性インジケータ４−ｉを消灯させ（ステップ１１０）、メインルーチンに戻る。
【００３８】
なお、図５では省略しているが、図５の処理途中において、キャンセルキー（例えば削除キーが該当する）が操作されたときには、ＣＰＵ２１は、装置全体を言語変換キー１１ａが操作される直前の状態に戻す。
【００３９】
以上のように、日本語文字列を入力後に、言語変換キー１１ａを操作して、言語変換モードでの処理を開始させることにより、ユーザは、英語、ドイツ語、フランス語での表現を仮に知っていなくても、日本語文字列を入力して言語変換することで、他の言語の文字列を入力することができる。
【００４０】
次に、言語併記キー１１ｂが操作された際の動作を、図６のフローチャートを参照しながら説明する。言語併記キー１１ｂが操作されたときには、ＣＰＵ２１は、図６のフローチャートで示す言語併記プログラム２２ｂを開始する。
【００４１】
そしてまず、ＣＰＵ２１は、言語併記に供する日本語文字列が入力済みであるか（存在しているか）否かを判別する（ステップ２００）。ここでも、言語併記に供する日本語文字列は、仮確定されているひらがなやカタカナの文字列であっても良く、かな漢字変換途中のその際にカーソル（文字列全体を反転表示）が付与されている漢字候補の文字列であっても良い。
【００４２】
言語併記に供する日本語文字列が存在していると、ＣＰＵ２１は、翻訳辞書２２ｃに、その日本語文字列を含むレコードが存在するか否かを判別する（ステップ２０１）。翻訳辞書２２ｃに該当するレコードがなければ、ＣＰＵ２１は、図示しないブザーなどから警告音を発し（ステップ２０２）、一連の処理を終了する。一方、翻訳辞書２２ｃに該当するレコードがあると、ＣＰＵ２１は、言語併記に係る属性インジケータ４−ｊを点灯させる（ステップ２０３）。
【００４３】
言語併記キー１１ｂが操作された段階で、言語併記に供する日本語文字列が存在していない場合には（ステップ２００で否定結果）、ＣＰＵ２１は、言語併記に係る属性インジケータ４−ｊを点灯させた後（ステップ２０４）、翻訳辞書２２ｃで用意されているカテゴリーの中から、ユーザが所望するカテゴリーを選択させ（ステップ２０５）、さらに、選択されたカテゴリーに属する複数の日本語文字列の中から、所望する日本語文字列を選択させる（ステップ２０６）。
【００４４】
カテゴリーの選択では、ＣＰＵ２１は、翻訳辞書２２ｃに用意されているカテゴリー名を、候補切換キーの操作に応じて切り換えながら表示させ、実行キーの操作時のカテゴリー候補を、ユーザによって選択されたものとして取り込む。
【００４５】
また、選択カテゴリーでの日本語文字列の選択では、ＣＰＵ２１は、翻訳辞書２２ｃに用意されている日本語文字列を、候補切換キーの操作に応じて切り換えながら表示させ、実行キーの操作時の日本語文字列を、ユーザによって選択されたものとして取り込む。
【００４６】
以上のようにして、言語併記キー１１ｂが操作された段階で、言語併記に供する日本語文字列が存在しても存在していなくても、日本語文字列が定まり、翻訳辞書２２ｃに存在することが明らかになると、ＣＰＵ２１は、ユーザに併記する言語数を選択させ（ステップ２０７）、ユーザに併記する言語種類を指定させ（ステップ２０８）、さらに、ユーザに併記方法を指定させる（ステップ２０９）。なお、言語種類の指定を先に行い、指定終了時の言語種類の数をもって言語数として取り込むようにしても良い。すなわち、ステップ２０７とステップ２０８処理順序を入れ換えても良い。また、言語数を先に指定させる場合には、言語種類の指定の前に併記方法（図７参照）を指定させるようにしても良い。さらには、併記方法を指定させることを通じて、自動的に言語数を指定させるようにしても良い。
【００４７】
この第１の実施形態の場合、翻訳辞書２２ｃは４言語の対応文字列を格納しているので、ＣＰＵ２１は、「２」〜「４」の数字を例えばメニュー表示させて、併記する言語数を選択させる。
【００４８】
また、選択された言語数を最終順番とし、併記順序での１番目、２番目、…の言語種類を、例えば、日本語、英語、ドイツ語、フランス語の４言語をメニュー表示させながら、ユーザに、併記する言語種類を選択させる。なお、２番目以降の言語種類の選択では、既に指定された言語を選択用メニューに含めないようにしても良い。
【００４９】
例えば、３言語併記の場合において、１番目を英語、２番目を日本語、３番目をドイツ語と指定したり、１番目を日本語、２番目をドイツ語、３番目を英語と指定したりするなど、ユーザは、任意の順序を指定できる。
【００５０】
さらに、選択された言語数が３言語の場合について、図７（Ａ）〜（Ｇ）に示すような印刷イメージフォーム（具体的な文字列を含まない）を、例えば、カーソル移動キーの操作に応じて液晶ディスプレイ３５に切換表示しながら、ユーザに併記方法を選択させる。
【００５１】
なお、併記方法には、文字サイズや文字間ピッチや文字揃え（図７（Ａ）〜（Ｄ）のような上下方向の併記であれば例えば中揃え）などの各種属性情報（数値的情報は例えば相対的情報であり、装填されているテープ幅によって絶対的情報に変換される）も伴っているものである。
【００５２】
図７（Ａ）〜（Ｄ）はそれぞれ、上下方向の併記であり、３言語の文字サイズの組み合わせが、「同一」、「大小小」、「小小大」、「小大小」の併記方法である。図７（Ｅ）は、テープ長手方向への併記であり、３言語の文字サイズの組み合わせは「同一」である併記方法である（先頭言語の文字サイズが他のものより大きいなど、３言語の文字サイズが異なっていても良い）。図７（Ｆ）は、テープ長手方向に２ブロックに分かれており、前ブロックに文字サイズ「大」の１番目の言語が配置され、後ブロックでは上下に文字サイズ「中」の２番目及び３番目の言語が配置される併記方法である。図７（Ｇ）は、テープ長手方向に２ブロックに分かれており、前ブロックでは上下に文字サイズ「中」の１番目及び２番目の言語が配置され、後ブロックに文字サイズ「大」の３番目の言語が配置される併記方法である。
【００５３】
併記方法の選択では、（１）言語種類を規定する文字（記号や国旗などであっても良い）を印刷するか否かと、（２）部分カッティングの有無、を指定させる。
【００５４】
図７（Ｅ）の場合を例に、「言語種類を規定する文字を印刷すること」を説明すると、図８（Ａ）や（Ｂ）に示すように、言語併記ラベルに含まれている文字列の言語種類をも印刷させることである。文字列の言語種類を規定する文字の印刷位置は、図８（Ａ）に示すようなその言語の文字列のすぐ近傍であっても良く、図８（Ｂ）に示すような言語種類の文字だけをまとめた独立した領域であっても良い。図８（Ｂ）に示すような言語種類の文字の印刷方法が選択された場合には、その領域との境界（図８（Ｂ）でＢＤを付与している位置）で、フルカット又はハーフカットを行うか、カットを行うことなく印刷するかをも選択させる。
【００５５】
「部分カッティングの有無を指定させる」とは、言語種類が異なる文字列の印刷領域が、テープ長手方向に分かれているような併記方法が選択された場合に、その領域の境で、フルカット又はハーフカットを行うか、カットを行うことなく印刷するかをも指定させることをいう。３言語指定の場合であれば、上述した図７（Ｅ）〜図７（Ｇ）の併記方法が選択された場合に、部分カッティングの有無を指定させる。図７（Ｅ）に対応する図９（Ａ）の例であれば、Ｃ１及び又はＣ２の位置でフルカット又はハーフカットを行うか否かを指定させ、図７（Ｆ）に対応する図９（Ｂ）の例であれば、Ｃ３の位置でフルカット又はハーフカットを行うか否かを指定させ、図７（Ｇ）に対応する図９（Ｃ）の例であれば、Ｃ４の位置でフルカット又はハーフカットを行うか否かを指定させる。
【００５６】
ＣＰＵ２１は、併記方法の指定が完了すると、翻訳辞書２２ｃから、指定された複数の言語の対応文字列を取り出し、テキストエリアに対し、指定された併記方法に従って、それら文字列を格納し、また、液晶ディスプレイ３５の表示画面を、それら文字列を含む入力用画面に戻す（文字数によっては一部表示されないこともあり得る：ステップ２１０）。
【００５７】
その後、ＣＰＵ２１は、言語併記に係る属性インジケータ４−ｊを消灯させて（ステップ２０３）、メインルーチンに戻る。
【００５８】
図６では省略しているが、図６の処理途中において、キャンセルキーが操作された際には、言語併記モードを強制終了して、言語併記キー１１ｂが操作される直前の状態に復帰させる。
【００５９】
なお、第１の実施形態の印刷処理は、従来のテープ印刷システムにおける印刷処理とほぼ同様であるが、上記から明らかなように、言語種類を規定する文字の印刷が指定されている場合には、その文字はユーザによる入力文字ではないが、ＣＰＵ２１が自動的に印刷画像に含めるドット展開処理を行うことや、所定位置でのフルカット又はハーフカットが指定されているときには印刷を中断して所定位置でフルカット又はハーフカットを行い、その後、印刷を再開することが異なっている。
【００６０】
第１の実施形態によれば、日本語文字列を入力し、それを対応する言語の文字列に変換し、その言語の文字列を入力したことにできる。
【００６１】
例えば、英字キーを利用して英語文字列を入力することもできるが、日本語では文字列は分かっているが、英語での文字列を知らない場合でも、その英語文字列を言語変換によって入力することができる。ドイツ語やフランス語の場合には、文字キーで対応できない文字があるが、キー入力そのものは日本語で行って言語変換することにより、ドイツ語やフランス語での特有な文字（英字のアルファベットにはない文字）をも入力できる。
【００６２】
また、第１の実施形態によれば、日本語文字列を入力させるだけで、又は、日本語文字列を選択させるだけで、他の言語の対応文字列を入力させた状態を形成でき、複数言語の文字列を併記したラベルを容易に作成することができる。複数言語の文字列を併記したラベルを作成する際に、各言語での文字列を全てキー入力するのは大変な作業であるが、第１の実施形態の言語併記機能を利用することにより、容易に言語併記ラベルを作成することができる。
【００６３】
この場合において、言語数や言語順序やレイアウトなどを容易に指定でき、複数言語の文字列を併記したユーザが所望するラベルを容易に作成することができる。
【００６４】
また、言語併記ラベルには、ユーザの希望により、言語種類を規定する文字を含めることができ、ユーザが必要に応じて、どの位置にどの言語の文字が印刷されているかを確認することができる。
【００６５】
言語併記方法で部分カッティングを指示した場合には、切断された部分を任意の位置に貼付することができ、言語併記のレイアウトをより多様化させた効果を発揮させることができる。
【００６６】
さらに、第１の実施形態によれば、翻訳辞書を言語変換機能及び言語併記機能で利用でき、限りある記憶容量の中から所定容量を割いた翻訳辞書を有効に利用することができる。
【００６７】
（Ｂ）第２の実施形態
次に、本発明によるテープ印刷装置の第２の実施形態を、図面を参照しながら詳述する。
【００６８】
図１０は、第２の実施形態のテープ印刷システム（テープ印刷装置）の電気的な全体構成を示すブロック図であり、第１の実施形態に係る図１との同一、対応部分には同一符号を付して示している。
【００６９】
図１０において、第２の実施形態のテープ印刷システムは、システムバス２７に接続されている外付けＲＯＭパックコネクタ２８を備えると共に、この外付けＲＯＭパックコネクタ２８に接続されている外付けＲＯＭパック４０を有する。外付けＲＯＭパック４０は、１又は複数のＲＯＭチップを収容した携帯可能かつ外付け可能な形状を有しており、第２の実施形態の場合、この外付けＲＯＭパック４０に、言語変換プログラム２２ａや言語併記プログラム２２ｂや翻訳辞書２２ｃが格納されている。
【００７０】
ＣＰＵ２１は、電源投入時などに、外付けＲＯＭパック４０の接続を確認し、外付けＲＯＭパック４０の格納内容をも利用して処理を実行する。
【００７１】
第２の実施形態によっても、第１の実施形態と同様な効果を奏することができる。
【００７２】
これに加え、第２の実施形態によれば、外付けＲＯＭパック４０の選択により、言語変換機能や言語併記機能に係る複数言語の組み合わせをユーザが任意に選択できる。例えば、外付けＲＯＭパック４０の種類として、日本語、英語、ドイツ語及びフランス語対応のものや、日本語、英語、韓国語及び中国語対応のものや、日本語、英語、ドイツ語、フランス語、韓国語及び中国語対応のものなどを用意しておき、これらの中から、ユーザが外付けＲＯＭパック４０を選択して外付けすることにより、言語変換機能や言語併記機能に係る複数言語の組み合わせをユーザが任意に選択できる。
【００７３】
（Ｃ）他の実施形態
上記各実施形態においては、言語変換キー１１ａを操作する前に、日本語文字列を入力しておくものを示したが、これに代え、又は、これに加え、言語変換キー１１ａを操作した後に、日本語文字列を入力するようにしても良い。ここで、変換に供する当初の文字列の言語種類は、日本語に限定されない。例えば、アメリカでの販売を意図しているテープ印刷システムであれば、変換に供する当初の文字列の言語種類が英語であっても良い。また、変換に供する当初の文字列の言語種類を、ユーザが指定できるようにしても良い。
【００７４】
また、上記各実施形態では、言語併記モードに言語併記キー１１ｂの操作で移行するものを示したが、ＶＴＲカセットの背表紙ラベルや住所ラベルなどの簡易作成用に設けられているフォーム入力機能の一態様として、言語併記機能を設けるようにしても良い。
【００７５】
さらに、上記各実施形態では、言語併記機能を利用したラベル作成では、言語併記の文字列以外の文字列の入力も可能であるものを示したが、言語併記機能を利用したラベルでは、言語併記の文字列だけを含むようにしても良い。
【００７６】
さらにまた、上記各実施形態における言語併記機能では、日本語文字列を入力して、他の言語の対応文字列を得るものを示したが、当初入力する文字列の言語として、日本語以外の言語を認めるようにしても良く、当初入力する文字列の言語として複数言語を認めるようにしても良い。なお、各言語の文字列を個別に入力させるようにしても良く、個別に入力された各言語の関連性を確認して併記を認めるようにしても良い。例えば、「薬」と「薬品」の組と、「ｄｒｕｇ」と「ｍｅｄｉｃｉｎｅ」の組とを対応させておき、組の要素同士が入力されていれば併記を認め、「薬」と、「ｄｒｕｇ」と「ｍｅｄｉｃｉｎｅ」の組に属していない単語が入力されたときに併記を拒否するようにしても良い。
【００７７】
当初入力する文字列は、単語又は単語列の文字列に限定されず、発音（読み）の文字列であっても良い。例えば、翻訳辞書を、図１１に示すように、単語列の文字列と発音（読み）の文字列とで構成することにより、発音（読み）の文字列を当初入力して、所望する文字列を得ることができる。例えば、「しゅがー」と入力して「ＳＵＧＡＲ」を得ることができる。
【００７８】
上記各実施形態では、英語などの欧米語を小文字表記するものを示したが、大文字表記するものであっても良く、小文字表記又は大文字表記を、ユーザが選択できるものであっても良い。
【００７９】
また、上記各実施形態では、単語又は単語列を他の言語に変換するものを示したが、機械翻訳用のソフトウェア及びそれが利用する翻訳辞書を搭載し、文章を他の言語の文章に翻訳するようにしても良い。また、１，０００円などの金額や、１センチなどの理化学的な単位なども言語変換し得るようにしても良く、その際に、その言語での一般的な単位への変換演算を行うようにしても良い。例えば、日本語での「センチ」や「尺」を英語での「ｉｎｃｈ」に自動変換するようにしても良い。
【００８０】
さらに、上記実施形態では、各言語の文字列を併記させる場合を示したが、絵文字を、言語の種類と見なして処理を行うようにしても良い。「砂糖」と「ｓｕｇａｒ」と同じレコードに砂糖の絵文字の情報を記憶しておき、選択により併記の中に含めるようにしても良い。
【００８１】
なお、カラー印刷対応である場合には、言語と色との組み合わせをユーザが選択し得るようにしても良く、言語と色との組み合わせをシステムが固定化させていても良い。
【００８２】
上記実施形態では、複数の言語の文字列を併記印刷する場合を示したが、当初より、言語毎の切断印刷を指定できるようにしても良い。この場合において、日本語ラベルが５枚、英語ラベルが３枚、中国語ラベルが１０枚のように、印刷前に異なる枚数を指定できるようにしても良い。
【００８３】
また、併記ラベルにおける各言語の文字列の位置を通知するための言語種類を規定する文字は、ラベルの裏面に印刷するようにしても良い。また、文字列の言語種類の相違などを、地紋などの相違で弁別可能とするようにしても良い。
【００８４】
さらに、上記実施形態では、複数言語の文字列を併記するものを示したが、同一領域に重ね書きするようにしても良い。この場合、一方の階調を落として背景的に印刷するようにしても良く、言語によって異なる色を適用するようにしても良い。「併記」の用語は、このような重ね書きも含むものとする。
【００８５】
さらにまた、上記各実施形態では、言語変換後の言語は候補を巡回的に変化させ、実行キーが操作された際の言語にするものを示したが、言語変換後の言語をメニューから選択させて翻訳辞書２２ｃから、その言語の文字列を取り出すようにしても良い。
【００８６】
上記第２の実施形態では、外付けＲＯＭパック４０（他の記憶媒体でも良い）に、言語変換プログラム２２ａ、言語併記プログラム２２ｂ及び翻訳辞書２２ｃの全てを記憶するものを示したが、翻訳辞書２２ｃだけを外付けＲＯＭパック４０に記憶させるようにしても良い。また、装置本体でのＲＯＭと、外付けＲＯＭパックとで、異なる言語の文字列を分散記憶させるようにしても良い。
【００８７】
なお、言語併記入力された内容の印刷に対しても、拡大印刷機能や連続印刷機能などの特殊印刷機能を適用し得るようにしても良いことはもちろんである。
【００８８】
上記実施形態では、テーブルから読み出した文字列などのデータが固定のものを示したが、読み出した後に変更し得るようにしても良い。例えば、「薬」と「ｄｒｕｇ」を読み出したユーザがそれを利用して「薬店」と「ｄｒｕｇｓｔｏｒｅ」に変更できるようにしても良い。
【００８９】
さらに、装置が用意していない言語の文字列をユーザが入力して、言語併記ラベルに印刷させるようにしても良い。例えば、日本語、英語、ドイツ語及びフランス語を装置が用意している場合に、「中国語」の漢字を５番目の言語として、現在作成しようとする言語併記ラベルにだけ追加して印刷することを認めるようにしても良い。この場合、中国語であることをシステムに入力してもしないようにしても良い。
【００９０】
なお、例えば、専用機でテープ印刷装置を構築した場合であっても、外付けＲＯＭパック（他の記憶媒体でも良い）を適用することにより、ロゴ・文字列ラベルの作成に供する、ロゴ数や言語数の増大を可能とするようにしても良い。
【００９１】
さらに、上記各実施形態では、専用機としてのテープ印刷システムを示したが、パソコンとラベルプリンタとが結合されたテープ印刷システムに、本発明の技術思想を適用するようにしても良い。
【００９２】
パソコンとラベルプリンタとが結合されたテープ印刷システムに、本発明を適用する場合であれば、例えば、言語併記ラベルのレイアウトの決定に、ＷＹＳＩＷＹＧ方式及びドラッグアンドドロップ方式を適用するようにしても良い。例えば、各言語の文字列を一覧表示したウィンドウ部分から、空白のラベルイメージ部分へ、各言語の文字列の表示を移動配置してレイアウトをユーザが作成するようにしても良い。
【図面の簡単な説明】
【００９３】
【図１】第１の実施形態の電気的構成を示すブロック図である。
【図２】第１の実施形態の外観を示す斜視図である。
【図３】第１の実施形態の表示面構成を示す平面図である。
【図４】第１の実施形態の翻訳辞書の構成を示す説明図である。
【図５】第１の実施形態の言語変換処理を示すフローチャートである。
【図６】第１の実施形態の言語併記処理を示すフローチャートである。
【図７】第１の実施形態の併記方法の選択肢の説明図である。
【図８】第１の実施形態の言語種類の通知方法の説明図である。
【図９】第１の実施形態の部分カッティングの説明図である。
【図１０】第２の実施形態の電気的構成を示すブロック図である。
【図１１】他の実施形態の翻訳辞書の構成を示す説明図である。
【符号の説明】
【００９４】
１０…入力部、１１…キー入力部、１１ａ…言語変換キー、１１ｂ…言語併記キー、２０…制御部、２１…ＣＰＵ、２２…ＲＯＭ、２２ａ…言語変換プログラム、２２ｂ…言語併記プログラム、２２ｃ…翻訳辞書、３０…出力部、３２…サーマルヘッド、３５…液晶ディスプレイ。